(57)【要約】【課題】遠隔制御部により、船底部の開閉、操船の操縦及び巻取部を無線遠隔操作することにより、操船を所望の釣りポイントに操縦することができ、その釣りポイントで魚のあたりを待機し、あたりがあったら、操船を無線遠隔操作により引き寄せて、一連の釣り動作を行うことができ、可能な限り、釣りポイントの拡大を図ることができ、子供や加齢な人にも容易に釣りを行うことができる。【解決手段】船体１ａの船底部１ｂが開閉可能に設けられた操船１と、操船に搭載され、餌Ｗ付き釣針４及び錘を付けた釣糸６が巻回され、船底部の開口部１ｅを介して釣糸を所定の水深位置まで落下可能な巻取部３と、操船に連繋された導糸体８を巻取可能な巻取装置７と、釣場Ｍに配置され、船底部の開閉、操船の操縦及び巻取部を無線遠隔操作可能な遠隔制御部９とからなる。【選択図】図１
2007006726.tif 000002
【特許請求の範囲】
【請求項１】
船体の船底部が開閉可能に設けられた操船と、該操船に搭載され、餌付き釣針及び錘を付けた釣糸が巻回され、船底部の開口部を介して釣糸を所定の水深位置まで落下可能な巻取部と、該操船に連繋された導糸体を巻取可能な巻取装置と、釣場に配置され、該船底部の開閉、操船の操縦及び巻取部を無線遠隔操作可能な遠隔制御部とからなることを特徴とする釣船装置。
【請求項２】
上記操船に乾電池や充電池、小型エンジンを動力源とするスクリュウ推進部を備えていることを特徴とする請求項１記載の釣船装置。
【請求項３】
上記操船に照明灯を設けていることを特徴とする請求項１又は２記載の釣船装置。
【発明の詳細な説明】
【技術分野】
【０００１】
本発明は例えば海釣りに用いられる釣船装置に関するものである。
【背景技術】
【０００２】
従来、この種の海釣りの仕方として、海岸の砂浜、防波堤や海の岩場などの漁場から釣竿を大きく振って錘の遠心力を利用して釣糸をできるだけ遠方の沖に投げて魚を釣る投げ釣りという釣り方が知られている。
【特許文献１】特開２０００−２５３７８６号公報
【発明の開示】
【発明が解決しようとする課題】
【０００３】
しかしながら投げ釣りの場合、釣場から釣糸をポイントをめがけて、遠くまで飛ばす投げ飛ばし動作が必要なことから、釣糸の飛ばす距離や飛ばす方向の正確性が要求されることになり、釣り人の熟練度や体力が大きく影響し、子供や加齢な人には不向きなことがあり、投げ飛ばす醍醐味はあるものの、非常に難しい釣りであるという不都合を有している。
【課題を解決するための手段】
【０００４】
本発明はこれらの不都合を解決することを目的とするもので、本発明のうちで、請求項１記載の発明にあっては、船体の船底部が開閉可能に設けられた操船と、該操船に搭載され、餌付き釣針及び錘を付けた釣糸が巻回され、船底部の開口部を介して釣糸を所定の水深位置まで落下可能な巻取部と、該操船に連繋された導糸体を巻取可能な巻取装置と、釣場に配置され、該船底部の開閉、操船の操縦及び巻取部を無線遠隔操作可能な遠隔制御部とからなることを特徴とする釣船装置にある。
【０００５】
又、請求項２記載の発明は、上記操船に乾電池や充電池、小型エンジンを動力源とするスクリュウ推進部を備えていることを特徴とするものであり、又、請求項３記載の発明にあっては、上記操船に照明灯を設けていることを特徴とするものである。
【発明の効果】
【０００６】
本発明は上述の如く、請求項１記載の発明にあっては、釣場において、遠隔制御部により、船底部の開閉、操船の操縦及び巻取部を無線遠隔操作することにより、操船を所望の釣りポイントに操縦することができ、その釣りポイントで魚のあたりを待機し、あたりがあったら、操船を無線遠隔操作により引き寄せて、一連の釣り動作を行うことができ、可能な限り、釣りポイントの拡大を図ることができ、釣場から釣糸をポイントをめがけて、遠くまで飛ばす投げ飛ばし動作が不要となり、釣人の熟練度や体力に無関係に所望のポイントに釣糸をたらすことができ、子供や加齢な人にも容易に釣りを行うことができ、釣りの面白さを広く普及することができ、釣り人口の拡大を図ることができる。
【０００７】
又、請求項２記載の発明にあっては、上記操船に乾電池や充電池、小型エンジンを動力源とするスクリュウ推進部を備えているから、操船の構造を簡素化することができ、又、請求項３記載の発明にあっては、操船に照明灯を設けているから、夜間や荒海状態においても安心して釣りを行うことができ、使用の融通性を高めることができる。
【発明を実施するための最良の形態】
【０００８】
図１乃至図４は本発明の実施の形態例を示し、１は操船であって、合成樹脂や金属、木材等により可及的に軽量、小型に製作され、図３の想像線の如く、船体１ａの船底部１ｂは開閉可能に設けられている。この場合、船底部１ｂは枢着部１ｃを中心に開閉可能な開閉板１ｄ・１ｄからなり、一対の開閉板１ｄ・１ｄの開閉動作により船底部１ｂの開口部１ｅを開閉自在に設け、船体１ａの上部に照明灯１ｇを設けて構成している。
【０００９】
この場合、上記操船１には乾電池や充電池などのバッテリー３ａにより駆動されるモータ２ａや小型エンジンを動力源とするスクリュウ推進部２が備えられている。
【００１０】
３は巻取部であって、リール構造からなり、上記操船１に搭載され、餌Ｗ付き釣針４及び錘５を付けた釣糸６が巻回され、船底部１ｂの開口部１ｅを介して釣糸６を所定の水深位置まで落下可能に構成されている。
【００１１】
７は巻取装置であって、海岸の砂浜、防波堤や海の岩場などの釣場Ｍに配置され、この場合、ウインチが用いられ、この巻取装置７にハリスや合成樹脂製紐等からなる導糸体８が巻き回され、この導糸体８は操船１の船尾部１ｆに連繋されている。
【００１２】
９は遠隔制御部であって、釣場の釣人Ｋにより操作され、この遠隔制御部９には、上記船底部１ｂの開閉操作パネル、操船１の操縦パネル及び巻取部３の巻取操作パネルが設けられ、各パネル部の操作部によって、アンテナ９ａ・９ｂを介して上記船底部１ｂの開閉操作、操船１の操縦及び巻取部２の無線遠隔操作ができるようになっている。
【００１３】
この実施の形態例は上記構成であるから、釣場Ｍにおいて、遠隔制御部９により、操船１を操縦することにより、操船１を遠方の沖の釣りポイントまで進行させ、所望のポイントに到達したら、操船１を停止させ、この停止位置で、図３の想像線の如く、船体１の船底部１ｂを開口し、この開口により餌Ｗ付き釣針４及び錘５は水中に落下し、巻取部３を操作することにより、船底部１ｂの開口部１ｅを介して釣糸６を所定の水深位置まで落下させることになり、そして、操船１の浮沈動作や導糸体の変化により魚のあたりを感得したら、巻取部３により釣糸６を巻上操作すると共に巻取装置７を牽引操作し、操船１を釣場Ｍまで引き寄せることになる。
【００１４】
したがって、釣場Ｍにおいて、遠隔制御部９により、船底部１ｂの開閉、操船１の操縦及び巻取部３を無線遠隔操作することにより、操船１を所望の釣りポイントに操縦することができ、その釣りポイントで魚のあたりを待機し、あたりがあったら、操船１を無線遠隔操作により引き寄せて、一連の釣り動作を行うことができ、可能な限り、釣りポイントの拡大を図ることができ、釣場Ｍから釣糸６をポイントをめがけて、遠くまで飛ばす投げ飛ばし動作が不要となり、釣人の熟練度や体力に無関係に所望のポイントに釣糸６をたらすことができ、子供や加齢な人にも容易に釣りを行うことができ、釣りの面白さを広く普及することができ、釣り人口の拡大を図ることができる。
【００１５】
又、この場合、上記操船１に乾電池や充電池、小型エンジンを動力源とするスクリュウ推進部２を備えているから、操船１の構造を簡素化することができ、又、この場合、操船１に照明灯１ｇを設けているから、夜間や荒海状態においても安心して釣りを行うことができ、使用の融通性を高めることができる。
【００１６】
尚、本発明は上記実施の形態例に限られるものではなく、操船１、巻取部３、巻取装置７、遠隔制御部９の形態、構造、材質等は適宜変更して設計される。
【００１７】
以上、所期の目的を充分達成することができる。
【図面の簡単な説明】
【００１８】
【図１】本発明の実施の形態例の全体側断面図である。
【図２】本発明の実施の形態例の全体平断面図である。
【図３】本発明の実施の形態例の横断面図である。
【図４】本発明の実施の形態例の使用状態図である。
【符号の説明】
【００１９】
Ｍ    釣場
１    操船
１ａ    船体
１ｂ    船底部
１ｇ    照明灯
２    スクリュウ推進部
３    巻取部
４    釣針
５    錘
６    釣糸
７    巻取装置
８    導糸体
９    遠隔制御部
【図１】
2007006726.tif 000003
【図２】
2007006726.tif 000004
【図３】
2007006726.tif 000005
【図４】
2007006726.tif 000006